(57)【要約】【課題】アクセサリ側の間欠受信周期を充分長く設定すると共に、アクセサリ側の間欠受信時の消費電力を小さくしてアクセサリ端末の小型・軽量化を図ることを目的とする。【解決手段】携帯電話とその付属アクセサリとの間で簡易通信機能を有する携帯電話装置において、アクセサリ端末に携帯電話機本体が基地局と通信する送信波エネルギーを受信する検波器を設け、上記アクセサリ端末を間欠受信動作させると共に、上記検波器の受信信号に基づいてアクセサリ端末の通信機能を開始させるようにしたものである。【選択図】図２
2006340298.tif 000002
【特許請求の範囲】
【請求項１】
携帯電話とその付属アクセサリとの間で簡易通信機能を有する携帯電話装置において、アクセサリ端末に携帯電話機本体が基地局と通信する送信波エネルギーを受信する検波器を設け、上記アクセサリ端末を間欠受信動作させると共に、上記検波器の受信信号に基づいてアクセサリ端末の通信機能を開始させるようにしたことを特徴とする携帯電話装置。
【請求項２】
携帯電話とその付属アクセサリとの間で簡易通信機能を有する携帯電話装置において、アクセサリ端末に携帯電話機本体が基地局と通信する送信波エネルギーを受信する検波器を設け、上記アクセサリ端末の起動を、間欠受信動作による起動と上記検波器出力による起動との併用によって行うと共に、上記検波器出力のうち携帯電話端末から通信要求がある場合に、上記アクセサリ端末の簡易通信機能を継続するようにしたことを特徴とする携帯電話装置。
【請求項３】
前記検波器は受動素子により形成される最小検波回路により構成したことを特徴とする請求項１あるいは２に記載の携帯電話装置。
【発明の詳細な説明】
【技術分野】
【０００１】
この発明は、携帯電話機に付属してアクセサリを使用するものにおいて、このアクセサリと携帯電話機との間で通信機能を有する携帯電話装置に関するものである。
【背景技術】
【０００２】
携帯電話機の使用に当たってはアクセサリと併用される場合が増えている。上記アクセサリとしては、例えば携帯電話機使用者の身体に取り付ける装飾品、時計等の装身具、あるいはバッグ等の携帯物に装着される小物類等が知られている。更に、最近ではこれらアクセサリと携帯電話機本体との間で通信機能を持たせ、例えば、着呼時あるいはメール着信時にその着呼あるいは着信状態をアクセサリ端末に通知し、これを音声、発光点滅あるいは振動等の手段で注意を喚起することが行われている。
【０００３】
例えば、特許文献１では、携帯電話機本体とは別に振動着信報知部を単独ケース内に設け、これを胸ポケット等に入れて所持することにより、着信時に上記本体で発生する微弱電波を受信して着信信号を得、この着信信号に基づいてバイブレータ等の着信報知を行うものが開示されている。ところが、このようなものは振動着信報知部を常時働かせておかなければならないことから、電池容量を相等大きなものとしなければならず、またその収納空間の関係からも、小型化、薄型化の障害となっていた。
【０００４】
また、非特許文献１では、携帯電話機本体とは別に通信機能を有するワイヤレスハンドセットを設けることにより、携帯電話機本体はカバンなどに入れておいても、着信があった場合、ワイヤレスハンドセットのみで通信を行ったり、更に、ワイヤレスハンドセットでリモート操作によりメールやメッセージを送ったり、受信したメールを確認できるようにしたものが示されている。ところが、携帯電話機本体とワイヤレスハンドセットとをBluetooth等の無線で接続するようにしたとしても、ワイヤレスハンドセットの受信機能その他の機能を常時働かせておくために、相等大きな電池容量を必要とし、アクセサリ等の小型のものには適用できないという問題があった。
【０００５】
一方、携帯電話機のバッテリーセービング方法として、特許文献２に示すように、着信の待ち受け状態の時に主要回路の電源をオフとし、間欠的に受信回路の電源をオンにして自端末宛の着信の有無をチェックするものが知られている。すなわち一定周期間隔でポーリング受信を行い相手の状態変化を確認することにより、常時電池を消費することを回避している。通常、この間欠受信の動作率はシステムの性能設計に依存し、短い周期で受信すると通信を確立するまでの時間は短いが、電力消費は大きくなる。他方、長い間欠周期にすると通信状態に入るまでの時間が長くなり、レスポンスが遅くなるという問題があった。このためこの間欠受信の動作率は１〜２秒間隔で行われる場合が多いが、前述のように電池寿命の短いものとなっていた。
【０００６】
【特許文献１】特開平９−２２４２７２号公報
【特許文献２】特開２００４−１３４９０４号公報
【非特許文献１】インターネット[平成17年5月9日検索]                <URL:http://www.sharp.co.jp/products/sh2101v/index.html>
【発明の開示】
【発明が解決しようとする課題】
【０００７】
この発明は、上記のような問題点を解消するためになされたもので、アクセサリ端末と携帯電話機との間で通信機能を有するものにおいて、アクセサリ端末に携帯電話機本体が基地局と通信する送信波エネルギーを受信する機能を設け、この信号に基づいてアクセサリ端末の機能を開始させることにより、アクセサリ側の間欠受信周期を充分長く設定すると共に、アクセサリ側の間欠受信時の消費電力を小さくしてアクセサリ端末の小型・軽量化を図ることを目的とする。
【課題を解決するための手段】
【０００８】
この発明は、携帯電話とその付属アクセサリとの間で簡易通信機能を有する携帯電話装置において、アクセサリ端末に携帯電話機本体が基地局と通信する送信波エネルギーを受信する検波器を設け、上記アクセサリ端末を間欠受信動作させると共に、上記検波器の受信信号に基づいてアクセサリ端末の通信機能を開始させるようにしたものである。
【発明の効果】
【０００９】
この発明に係る携帯電話装置は、アクセサリ側の間欠受信周期を充分長く設定すると共に、アクセサリ側の間欠受信時の消費電力を小さくして待ち受け時間の延長を図ることができ、電池容量を小さくして、小型・軽量化を図ることができる効果を有する。
【発明を実施するための最良の形態】
【００１０】
実施の形態１．
以下、この発明の携帯電話装置について図面を参照しながら説明する。図１は携帯電話機とアクセサリ端末との関連状態を示す図である。図において携帯電話機１とそのアクセサリ端末２として動作するものを前提とした場合、アクセサリ端末２は電池の容量が携帯電話よりも小さいため、極力電池を使わないようにする必要がある。
【００１１】
これまでであれば、通信が行われていないとき、携帯電話機とそれと通信を行うアクセサリ端末２とは、それぞれお互いに送信されているかどうかを確認するために、間欠受信を行っていた。通常この間欠動作の動作率はシステムに依存し、前述したように短い周期で受信すると通信を確立するまでの時間は短いが、電力消費が大きくなる。一方、長い間欠周期にすると通信状態に入るまでの時間を要し、レスポンスが遅くなるという問題があった。そこでアクセサリ端末２は携帯電話の近くにあることを前提として、携帯電話機の基地局と通信する送信波エネルギーをアクセサリ側が感知し、まず、携帯電話機側の状態が大きく変化しているあるいは通信状態にあること検出するようにする。
【００１２】
図２はこの発明の実施の形態１によるアクセサリ端末２の構成を示すブロック図であり、アンテナ部３から受信した電波を検波回路部４で検波・復調する。５はＣＰＵ、メモリー等から構成され、検波回路部４からの信号を受け、割り込みなどを用いてウエークアップを行い、通信手段に必要なＲＦ部６及びベースバンド処理部７に電源を供給するものであり、以上によりアクセサリ端末による簡易無線システムが構成される。ここで、上記検波回路部４は図５に示すようなショットキーバリアダイオード４０、抵抗４１、コンデンサ４２からなる外部電源を必要としない最小単位の受動回路から構成されれば十分である。
【００１３】
図３は上記図２に示すアクセサリ端末２の動作状態を説明するフローチャートである。
常時は主制御部５により電源（図示していない）をオフとし、上記簡易無線システムをSLEEP状態とする（ステップＳ１０３）ことにより電池の消耗を防いでいる。次に、間欠受信のために例えば間欠タイマーによる割り込みを用いて上記簡易無線システムをウエークアップすなわち通信状態への移行を行う。図３においてステップＳ１０２にて間欠タイマーによる起動が行われたときは通信状態に移行処理される（ステップＳ１０４）。
【００１４】
一方、携帯電話機はシステム上、発呼時、着呼時、移動してローケーションが変わったときの登録時、あるいはシステムで指定された時間間隔での情報更新時（ロケーションアップデート）等に基地局等との送信を行う。携帯電話機のアクセサリの場合、アクセサリ端末２は携帯電話機本体からおおよそ１ｍ以内に存在することとなるため、携帯電話機から発射される電波を検波回路部４で全て受信することとなる。すなわちステップＳ１０３にて検波出力トリガによる起動が行われたときは、やはり通信状態に移行される（ステップＳ１０４）。
【００１５】
この時、リンク関係に設定している携帯電話機本体から通信要求が有るかどうかを判断し、通信を継続するかどうかを決定する（ステップＳ１０５）。着信時に着信状態にあることあるいはメールを受け取ったことをアクセサリ端末に通知する場合等、アクセサリ端末との通信が必要なものだけ検出するようにすればよいが、検波する周波数を絞り込んでも、必ずしも目的としている電波である保証はなく、回路を複雑化する問題がある。
【００１６】
この発明は、低消費電力化、小型化、軽量化をより促進するため、これら携帯電話機本体から発射される全ての電波を検波・検出することにより、検出される電波中に目的の電波が含まれていることで十分条件としたものである。
すなわち、従来の間欠周期で簡易無線システムをウエークアップさせ、リンク関係に設定している携帯電話端末から通信要求が有るかどうかを判断すると共に、携帯電話機から送信されたエネルギーをアクセサリ端末の検波回路で検出し、その都度、簡易無線システムをウエークアップさせ、リンク関係に設定している携帯電話端末から通信要求が有るかどうかを判断するようにしたものである。
【００１７】
携帯電話端末から通信要求が有ると判断された場合は、主制御部５で通信に必要なRF部６、およびベースバンド処理部７に電源を供給し通信を開始する。アクセサリ端末は携帯電話機との必要な通信が終了すると、間欠受信および、一定周期あるいは外部で送信される電波を検出する状態となる。上記のような手順を用いることにより、従来技術と比較してより低消費電力化をすることが可能となる。
【００１８】
図４は、この発明による携帯電話機の通信内容とアクセサリ端末の動作タイミングを示すもので、以下この図を用いて説明する。
図中、（a）はアクセサリ端末が起動するタイミング（三角印）、（b）は間欠起動タイミング（黒矢印）、（c）は携帯電話機の送信タイミング（白矢印）をそれぞれ示している。
携帯端末機１は前述したように基地局と様々な内容の通信を行う。アクセサリ端末２はこの携帯電話機１から発射される電波を利用するのであるが、携帯電話機１から発射される電波すべてがアクセサリ端末２に必要な内容ではない。
【００１９】
例えば、位置登録、ロケーションアップデートなどは基地局と携帯電話機本体間でのみ必要なやりとりで、本発明のアクセサリ通信とは無関係である。しかしながら、このときもアクセサリ端末２は検波回路４により携帯電話機１の送信電波を検波し、アクセサリ端末２の簡易無線システムを起動するが、必要でないことを認識するとすぐに間欠受信状態となる。一方、着呼時はアクセサリ通信に関係するためこれを検知すると携帯電話機本体との間で通信が継続されることとなる。アクセサリ端末２に必要でない内容のものにもウエークアップ動作を行うことは一見無駄にも思える動作であるが、本当に携帯電話機１にアクセサリ端末２との必要な通信状態も含まれることを考慮すると十分条件で動作を行い、必要なときに必ず動作することで確実な動作を行えるものである。
【００２０】
以上のようにこの発明によれば、携帯電話とその付属アクセサリとの間で簡易通信機能を有する携帯電話装置において、アクセサリ端末に携帯電話機本体が基地局と通信する送信波エネルギーを受信する検波器を設け、上記アクセサリ端末を間欠受信動作させると共に、上記検波器の受信信号に基づいてアクセサリ端末の通信機能を開始させるようにしたので、アクセサリ側で間欠受信する周期を十分、例えば1分程度に延ばすことができ、このため間欠受信のための電力消費を大幅に減少することができ、小型の電池でも長時間の使用に耐えるようになり、小型・軽量化の要求されるアクセサリを用いた通信システムの実用化を図ることができる。
【００２１】
またこの発明によれば、間欠受信の周期が大きくても、通信が必要なときには即時に通信状態に遷移することが可能になり、簡易通信回路の起動時間を短縮することができる。
なお、上記アクセサリとしては、携帯電話機使用者の身体に取り付ける装飾品、時計等の装身具、あるいはバッグ等の携帯物に装着される小物類のほか、携帯電話機本体と至近距離にあってこの発明の目的に沿って使用されるあらゆる変形例を含むものである。
【図面の簡単な説明】
【００２２】
【図１】携帯電話機とアクセサリ端末との関連状態を示す図である。
【図２】この発明の実施の形態１によるアクセサリ端末の構成を示すブロック図である。
【図３】図２に示すアクセサリ端末の動作状態を説明するフローチャートである。
【図４】この発明による携帯電話機の通信内容とアクセサリ端末の動作タイミングを示す図である。
【図５】この発明のアクセサリ端末に使用される検波回路部の一例を示す図である。
【符号の説明】
【００２３】
１  携帯電話機本体、  ２  アクセサリ端末、３  アンテナ部、
４  検波回路部、５  主制御部、  ６  ＲＦ部、７  ベ−スバンド処理部、
４０  ショットキーバリアダイオード、４１  抵抗、４２  コンデンサ。
【図１】
2006340298.tif 000003
【図２】
2006340298.tif 000004
【図３】
2006340298.tif 000005
【図４】
2006340298.tif 000006
【図５】
2006340298.tif 000007